(57)【要約】【課題】  一連のブランクシートから組み上げられる包装用箱であって、操作が容易な差込片による再封機能を一体的に備え、機械的に且つ自動的に包装用箱として組み立てるに適した構造を持つ包装用箱及びそのブランクシートの提供。【解決手段】  一連のブランクシートから組み立てられ、四側板１，２，３，４に囲まれた直方体状の包装用箱であって、開口部は、前記四側板の端縁から延出するフラップ６，７，８，９で封じられ、少なくとも一のフラップは、前記開口部を横断する長さを備えると共に、その端縁に沿って再封時に対面側板の真裏に差し入れられる差込片１４を具備し、前記差込片１４は、前記対面側板から延出するフラップに従って当該差込片１４を具備するフラップの表側へ折り返され、前記対面側板から延出するフラップは、前記差込片１４を具備するフラップの基部表面に当該差込片１４を避けて貼着されていることを特徴とする包装用箱。【選択図】      図１
2018111516.tif 000002
【特許請求の範囲】
【請求項１】
一連のブランクシートから組み立てられた直方体状の包装用箱であって、
開口部は、四側板の端縁から延出するフラップで封じられ、
少なくとも一のフラップは、前記開口部を横断する長さを備えると共に、その端縁に沿って再封時に対面側板の真裏に差し入れられる差込片を具備し、
前記差込片は、前記対面側板から延出するフラップに従って当該差込片を具備するフラップの表側へ折り返され、
前記対面側板から延出するフラップは、前記差込片を具備するフラップの基部表面に当該差込片を避けて貼着されていることを特徴とする包装用箱。
【請求項２】
前記差込片を具備するフラップの、当該差込片の境界から当該差込片の長さにわたる領域に指先が通る広さの透孔を備えることを特徴とする前記請求項１に記載の包装用箱のブランクシート。
【請求項３】
前記差込片を具備するフラップに、前記基部と先部を画する直線的な脆弱線を設けると共に、前記差込片の前記透孔を通して露出する領域に、それを差込片と覚知させる表示を施したことを特徴とする前記請求項１又は請求項２のいずれかに記載の包装用箱。
【請求項４】
直方体状の包装用箱に組み立てられる一連のブランクシートであって、
四側板は、各々の端縁から延出し開口部を封じるフラップを備え、
各フラップのうちの少なくとも一のフラップは、前記開口部を横断する長さを備えると共に、その端縁に沿って再封時に対面側板の真裏に差し入れられる差込片を具備し、
前記差込片を具備するフラップの、当該差込片の境界から当該差込片の長さにわたる領域に指先が通る広さの透孔を備えることを特徴とする包装用箱のブランクシート。
【請求項５】
前記差込片を具備するフラップに、前記基部と先部を画する直線的な脆弱線を設けると共に、前記差込片の前記透孔を通して露出する領域に、それを差込片と覚知させる表示を施したことを特徴とする前記請求項４に記載の包装用箱のブランクシート。
【発明の詳細な説明】
【技術分野】
【０００１】
本発明は、一連のブランクシートから組み上げられる包装用箱であって、開封後に再び開口部の簡易な封鎖を可能とする再封構造を備える包装用箱及びそのブランクシートに関する。
【背景技術】
【０００２】
包装用箱の分野において自動組立に最も便宜な構造の一つは、例えば、図８に示すブランクシートからなる構造であって、直方体状の箱本体の開口部を構成する４枚の側板の端縁から延設された４枚の方形状フラップを折り重ねて糊付けする構造（例えば下記特許文献１参照。以下「４枚側板４枚フラップ構造」という。）である。
【０００３】
再封構造を備えるブランクシートは、側板を５枚備えた構造（例えば下記特許文献２又は特許文献３参照。）や、対向して開口部を封鎖する一組のフラップに、差入片及びそれが侵入する切込みを備えた構成（例えば下記特許文献４参照。）や、フラップに表板の少なくとも上部を覆う封止片を延設した構造（例えば下記特許文献５参照。）など、４枚のフラップを開口部へ向けて一回ずつ折り曲げる作業を超える特別な作業を伴う構造（以下「追加構造」という。）が与えられている。
【先行技術文献】
【特許文献】
【０００４】
【特許文献１】特開２０１４−２１０６１２号公報
【特許文献２】特開２０１３−１２４１０３号公報
【特許文献３】特許第５６０２９７２号公報
【特許文献４】特開２００５−２９７９９３号公報
【特許文献５】特開２０１４−２３１３７９号公報
【発明の概要】
【発明が解決しようとする課題】
【０００５】
しかしながら、ブランクシートに再封を可能とする追加構造を付与すると、４枚側板４枚フラップ構造のブランクシートを組み立てるために設計された一般的な自動組立装置で組み立てることが困難になるという問題がある。
一般的な自動組立装置で組み立てることが可能な構成であっても、差込片を切り込みに差し入れる構成や、フラップに設けたフック同士を引っ掛けるなどの煩雑な操作を必要とするなどの問題がある。
【０００６】
本発明は、上記実情に鑑みて為されたものであって、一連のブランクシートから組み上げられる包装用箱であって、操作が容易な差込片による再封機能を一体的に備え、機械的に且つ自動的に包装用箱として組み立てるに適した構造を持つ包装用箱及びそのブランクシートの提供を目的とする。
【課題を解決するための手段】
【０００７】
上記課題を解決すべく為された本発明による包装用箱は、一連のブランクシートから組み立てられた直方体状の包装用箱であって、開口部は、四側板の端縁から延出するフラップで封じられ、少なくとも一のフラップは、前記開口部を横断する長さを備えると共に、その端縁に沿って再封時に対面側板の真裏に差し入れられる差込片を具備し、前記差込片は、前記対面側板から延出するフラップに従って当該差込片を具備するフラップの表側へ折り返され、前記対面側板から延出するフラップは、前記差込片を具備するフラップの基部表面に当該差込片を避けて貼着されていることを特徴とする。
尚、ここで、対面側板とは、組み立て後において、前記差込片を具備するフラップの延出元である側板の対面に存在する側板である。
【０００８】
本発明による包装用箱は、例えば、前記差込片を具備するフラップの、当該差込片の境界から当該差込片の長さにわたる領域に指先が通る広さの透孔を備える構成や、前記差込片を具備するフラップに、前記基部と先部を画する直線的な脆弱線を設けると共に、前記差込片の前記透孔を通して露出する領域に、それを差込片と覚知させる表示を施す構成を採ることもできる。
【０００９】
上記課題を解決すべく為された本発明による包装用箱のブランクシートは、四側板に囲まれた直方体状の包装用箱に組み立てられる一連のブランクシートであって、前記四側板は、各々の端縁から延出し開口部を封じるフラップを備え、各フラップのうちの少なくとも一のフラップは、前記開口部を横断する長さを備えると共に、その端縁に沿って再封時に対面側板の真裏に差し入れられる差込片を具備し、前記差込片を具備するフラップの、当該差込片の境界から当該差込片の長さにわたる領域に指先が通る広さの透孔を備えることを特徴とする。
【００１０】
本発明による包装用箱のブランクシートにあっても、前記差込片を具備するフラップに、前記基部と先部を画する直線的な脆弱線を設けると共に、前記差込片の前記透孔を通して露出する領域に、それを差込片と覚知させる表示を施した構成を採ることもできる。
【発明の効果】
【００１１】
本発明による包装用箱及びそのブランクシートによれば、前記差込片が、前記対面側板から延出するフラップに従って当該差込片を具備するフラップの表側へ折り返され、前記対面側板から延出するフラップが、前記差込片を具備するフラップの基部表面に当該差込片を避けて貼着されている構成によって、例えば、４枚側板４枚フラップ構造のブランクシートを組み立てるために開発された一般的な自動組立装置であっても、操作が容易な差込片による再封機能を持った包装用箱を通常通り組み立てることができる。
【００１２】
また、前記差込片を具備するフラップの、当該差込片の境界から当該差込片の長さにわたる領域に指先が通過できる広さの透孔を備える構成や、前記差込片を具備するフラップに、前記基部と先部を画する直線的な脆弱線を設ける構成を採ることによって、折り畳まれた差込片を、相対向して設けられていたフラップの間から容易に引き出すことができる。
更に、前記差込片の前記透孔を通して露出する領域に、それを差込片と覚知させる表示を施す構成を採ることによって、商品の購入者に再封機能を有する箱であることを覚知させ、保存の便宜となる機能を有効に利用させることができる。
【図面の簡単な説明】
【００１３】
【図１】本発明による包装用箱の開口部を封鎖する工程の一例を示す斜視図である。
【図２】本発明による包装用箱の開口部を封鎖する工程の一例を示す斜視図である。
【図３】本発明による包装用箱の開口部を封鎖する工程の一例を示す斜視図である。
【図４】本発明による包装用箱の開口部を封鎖する工程の一例を示す斜視図である。
【図５】本発明による包装用箱の開口部を封鎖する工程の一例を示す斜視図である。
【図６】本発明による包装用箱の開口部を封鎖する工程の一例を示す斜視図である。
【図７】本発明による包装用箱のブランクシートの一例を示す平面図である。
【図８】従来の包装用箱のブランクシートの一例を示す平面図である。
【発明を実施するための形態】
【００１４】
以下、本発明による包装用箱の実施の形態を、そのブランクシートの実施の形態と共に詳細に説明する。
図１乃至図６に示す例は、一連のブランクシートから組み立てられ、四側板に囲まれた直方体状の包装用箱である。
この例の上開口部は、前記四側板の端縁から延出するフラップを相互に重ね合わせて封じられ、相対向する一対のフラップの間に、下位に折り重ねられるフラップから延設された差込片が挟まれて保持される。
【００１５】
＜ブランクシート＞
図１乃至図６に示す包装用箱は、前記包装空間の側方を囲う四側板、下開口部を封じる四つの下フラップ、上開口部を封じる四つの上フラップ、並びに前記四側板を方形の筒状に固定するための糊代板が一連に打ち抜かれたブランクシートから組み立てられる。
【００１６】
ここで示すブランクシートは、右側板１，正面板２，左側板３及び背板４からなる四つの側板を連続して配置すると共に、それに続いて糊代板５を連続して配置し、各側板１，２，３，４の上下にそれぞれ右上フラップ６，前上フラップ７，左上フラップ８及び後上フラップ９からなる上フラップ、並びに右下フラップ１０，前下フラップ１１，左下フラップ１２及び後下フラップ１３からなる下フラップを延設したものである（図７参照）。
【００１７】
この例では、前記前上下フラップ７，１１及び後上下フラップ９，１３は、それぞれが連続する前後側板２，４の上下縁の全幅に続いて、それぞれ前記上下開口部を前後に横断する長さ又は略横断する長さで延出する台形状のフラップである。
一方、前記右上下フラップ６，１０及び左上下フラップ８，１２は、それぞれが連続する右側板１及び左側板３の上下縁の全幅に続いて前記上下開口部を左右に横断する長さの略半分の長さで延出する台形状のフラップである。
【００１８】
この例の前記後上フラップ９は、上開口部を前後に横断する長さを備え、更に、その先端縁の全幅に続いて、対面側板（正面板２）の真裏に差し入れられる差込片１４を具備する。
この例の前記後上フラップ９は、フラップ本体と差込片１４との境界、及び当該フラップ本体における先部（当該フラップ本体における前記差込片の境界から当該差込片の長さにわたる部分を含む領域）９ａと基部（先部以外の領域）９ｂとの境界に、直線的な脆弱線Ｃを備えると共に、前記先部９ａに指先が通る広さを有する半円状の透孔Ａを備える。
前記脆弱線Ｃは、エンボス加工などで形成した折曲げ線やミシン目などから適宜選択すればよい。
【００１９】
前記差込片１４は、当該フラップ本体の表側へ前記差込片１４を折り重ねた際、前記透孔Ａを通して露出する領域に、「差込片」や「引き出す」など、当該後上フラップ９と前上フラップ７との間に挟まれている前記差込片１４を、再封用の差込片１４であると覚知させる表示を備える。
【００２０】
前記正面板２は、前記前上フラップ７との境界部分に、開封用の破断線Ｂを備える。
前記破断線Ｂは、前記正面板２の略全幅に亘り、その端部は、前記境界に倣って穿設され、中央部分は、指を差し入れやすい様に、前記正面板２の上部に迫出した破断部２ａが穿設されている。
【００２１】
＜組み立て＞
この例は、上記ブランクシートを用い、以下の様に組み立てられる。
前記ブランクシートが備える連続する四つの前記側板１，２，３，４は、前記包装空間の四側方を囲う形で方形の筒体を形作り、最も端に位置する側板（この例では後側板４）の裏面端縁部に当該後側板４と略同じ長さの糊代板５を貼着することで当該筒体としての保形が為される。
【００２２】
この例において筒体の開口部は、右上下フラップ６，１０及び左上下フラップ８，１２を筒体の内側へ向けて略直角に折り曲げた後、後上下フラップ９，１３をその上に折り重ね、最後に前上下フラップ７，１１を糊付けして封鎖する。
【００２３】
この例の前記差込片１４は、前記後上フラップ９の表面に前上フラップ７を糊付けする際に、当該前上フラップ７の折り曲げに伴って、前記後上フラップ９のフラップ本体との境界に沿って当該フラップ本体の表側へ折り返され、当該後上フラップ９と前上フラップ７との間に挟まれる。
【００２４】
この様な上フラップ６，７，８，９の折り曲げ作業は、４枚側板４枚フラップ構造のブランクシートを組み立てるために開発された一般的な自動組立装置の規定作業であるから、自動組立装置に対し、何ら特別な機能を付与する必要は無く、前記前上フラップ７を貼着する際の糊を、前記差込片１４を具備する前記後上フラップ９の前記基部９ｂ表面に当該差込片１４を避けて塗布し貼着することとなる。
【００２５】
＜開封及び再封＞
上記の如く組み立てられた包装用箱は、前記正面板２に穿設された破断部２ａに指を差し入れ、当該破断部２ａの両側に穿設された破断線Ｂを破断しつつ前記前後上フラップ７，９を引き上げることによって、前記後上フラップ９と前記背板４との境界を残して開封する。
開封後、前記後上フラップ９のフラップ本体に設けられた脆弱線Ｃを境に、当該フラップ本体の先部９ａを引き上げ、折り曲げられていた差込片１４を、前記透孔Ａに指先を差し入れることによって引き出し、当該差込片１４を正面板２の真裏へ差し入れることによって再封する。
【００２６】
尚、この発明による包装用箱は、上記例に限定されるものではなく、前記差込片が前記対面側板から延出するフラップに従って当該差込片を具備するフラップの表側へ折り返され、且つ４枚側板４枚フラップ構造のブランクシートを組み立てるために開発された一般的な自動組立装置で行われる工程の範囲でブランクシートの組み立てを実現することができる構成である限りにおいて、前記再封構造を構成する板や片の形状、又は包装用箱の側部又は底部の形状若しくは構成などを適宜変更することが可能である。
【符号の説明】
【００２７】
Ａ  透孔，Ｂ  破断線，Ｃ  脆弱線，
１  右側板，
２  正面板，２ａ  破断部，
３  右側板，４  背板，５  糊代板，
６  右上フラップ，７  前上フラップ，８  左上フラップ，
９  後上フラップ，９ａ  先部，９ｂ  基部，
１０  右下フラップ，１１  前下フラップ，１２  左下フラップ，
１３  後下フラップ，１４  差込片，
【図１】
2018111516.tif 000003
【図２】
2018111516.tif 000004
【図３】
2018111516.tif 000005
【図４】
2018111516.tif 000006
【図５】
2018111516.tif 000007
【図６】
2018111516.tif 000008
【図７】
2018111516.tif 000009
【図８】
2018111516.tif 000010